(57)【要約】【課題】  簡易な構成で小型且つ安価な電解水生成装置を提供すること。【解決手段】  電解水生成装置１は、真水及び生成された強酸性水を貯留する第１水槽部２及び塩水を貯留する第２水槽部３を有する水槽本体５と、膜部材としての隔膜１５と、隔膜１５を露出させた状態で支持する隔膜支持体２０と、隔膜支持体２０を挟んで配置される陽極板３０及び陰極板４０と、第２水槽部３の内部に配置され塩を収容する塩収容器５０と、水槽本体５の内部に着脱自在に設けられ、隔膜支持体２０を保持すると共に水槽本体５を第１水槽部２と第２水槽部３とに区画するパッキン部材６０と、を主として備える。そのため、隔膜支持体２０を保持したパッキン部材６０を水槽本体５の内部に装着することで、水槽本体５を容易にシール区画することができ、水槽本体５の区画構造を簡易にすることができる。また、パッキン部材６０の取り外しも容易である。【選択図】  図１
2016221437.tif 000002
【特許請求の範囲】
【請求項１】
原水及び生成された電解水を貯留する第１水槽部及び塩水を貯留する第２水槽部を有する水槽本体と、
隔膜又はイオン交換膜からなる膜部材と、
前記膜部材を露出させた状態で支持する膜部材支持体と、
前記膜部材支持体を挟んで配置される陽極板及び陰極板と、
前記第２水槽部に配置され塩を収容する塩収容器と、
前記水槽本体の内部に着脱自在に設けられ、前記膜部材支持体を保持すると共に前記水槽本体を前記第１水槽部と前記第２水槽部とに区画するパッキン部材と、
を備えることを特徴とする電解水生成装置。
【請求項２】
前記パッキン部材は、前記塩収容器を保持する塩収容器保持部を備えることを特徴とする請求項１に記載の電解水生成装置。
【請求項３】
前記膜部材支持体は、前記陽極板及び前記陰極板を係止する係止部を備えることを特徴とする請求項１又は２に記載の電解水生成装置。
【請求項４】
前記塩収容器は、前記陽極板の一部及び前記陰極板の一部を係止する電極係止手段と、前記パッキン部材の一部を係止するパッキン部材係止手段と、を備えることを特徴とする請求項１から請求項３のいずれか一つに記載の電解水生成装置。
【請求項５】
前記膜部材及び前記膜部材支持体は、インサート成型品であることを特徴とする請求項１から請求項４のいずれか一つに記載の電解水生成装置。
【請求項６】
前記塩収容器又は前記第２水槽部に上下動自在に設けられ、塩水の規定濃度に対応した比重を有し、当該塩水の濃度が既定値以下となったときに下降して塩の補充を報知する塩補充報知部材を備えることを特徴とする請求項１から請求項５のいずれか一つに記載の電解水生成装置。
【請求項７】
前記水槽本体の外表面に設けた凹部に配設され、前記陽極板及び前記陰極板と電気的に接続される配線を覆うと共に、把持し易くするために表面に滑り止め加工が施され及び／又は滑り止め機能を有する素材により形成された配線隠し部材を備えることを特徴とする請求項１から請求項６のいずれか一つに記載の電解水生成装置。
【請求項８】
前記水槽本体の載置位置を案内する案内凸部を有し、載置された前記水槽本体の前記陽極板及び前記陰極板に所定の電力を供給する載置台を備えることを特徴とする請求項１から請求項７のいずれか一つに記載の電解水生成装置。
【請求項９】
前記載置台は、前記電力の供給と遮断の指示を入力する入力手段と、前記入力手段と電気的に接続され少なくとも前記電力の供給時間を制御する制御手段と、当該制御手段と電気的に接続され、前記電解水を生成中であること及び／又は前記電解水の生成を完了したことを報知する報知手段と、を備えることを特徴とする請求項８に記載の電解水生成装置。
【請求項１０】
前記水槽本体は、透明又は半透明に形成され、前記膜部材支持体は、表裏で色彩が異なるように二色成形されていることを特徴とする請求項５から請求項９のいずれか一つに記載の電解水生成装置。
【発明の詳細な説明】
【技術分野】
【０００１】
本発明は、強酸性水を生成する電解水生成装置に関するものである。
【背景技術】
【０００２】
従来より、電気分解を利用して酸性水やアルカリ水といった電解水を生成する電解水生成装置が提供されてきた。特に、ｐＨ２〜ｐＨ３前後の強酸性水には、消毒及び殺菌効果があるため、一般家庭のほか、飲食店、医療機関などにおいて、消毒、殺菌及び滅菌目的などで活用されている。
このような電解水生成装置は、隔膜又はイオン交換膜により２つのイオン室に区画された電解槽と、これら各イオン室にそれぞれ設けられた一対の電極とを主として備えて構成され、これらの電極に直流電圧を印加して塩水などの電解質溶液を電気分解することにより、上記電解水を生成するものである。
【０００３】
このような従来の電解水生成装置として、例えば、電解質を供給する部材を収納したケースの着脱機構を浄水器ホルダーの着脱機構と同じ形状に形成することにより、浄水器ホルダーとの互換性を有するようにした電解質供給ホルダーが提供されている（例えば、特許文献１参照）。
【０００４】
この電解水生成装置は、上ケースと下ケースとからなり、上下ケースは、ケース周縁部で相互が螺合されて接続され、一体として使用される。上ケースは、電解質の保存容器であり、その上方に電解質を投入するための注入口とその蓋が設けられている。下ケースには、電解質溶液を搬送するポンプが収納される。また、下ケースの底には、原水の給水管口部と排出管口部とが形成され、原水は給水管口部から入り、中心に位置する排出管口部から排出されるようになっている。そして、この給水管口部と排出管口部は、浄水器の流入口及び吐水口と同じ形状・寸法に形成されている。
【０００５】
また、従来の他の電解水生成装置として、例えば、陽極と陰極を有する電解槽と、電解槽へ水を供給する給水口と、内部を目視確認できるようにした固形電解質を貯蔵する電解質タンクと、電解質タンクの固形電解質の水溶液を電解槽に供給する電解質供給手段と、電解質供給手段を制御する制御手段と、を備えたものが提供されている（例えば、特許文献２参照）。
【先行技術文献】
【特許文献】
【０００６】
【特許文献１】特開平８−１０７７１号公報
【特許文献２】特開２００２−１９２１５６号公報
【発明の概要】
【発明が解決しようとする課題】
【０００７】
しかしながら、上記従来の電解水生成装置は、水道水に塩化ナトリウム等の電解質を添加するための搬送ポンプや混合装置、電解質の添加量を制御する添加手段、電解質水溶液を電解槽に供給する電解質供給手段などを備える必要があった。そのため、電解質の添加や給水・排水などの自動化を追求するあまり、却って装置の大型化や操作の複雑化を招き、更には、生成水の使用量に応じた定期的なメンテナンスも必要となることから、製品価格上昇の要因になると共に、できるだけメンテナンスフリーで利用し易い製品を好む一般ユーザーから敬遠される要因にもなっていた。
【０００８】
また、一般家庭や飲食店、医療機関などで上記従来の電解水生成装置を使用する場合、給水・排水設備の制限から設置場所も制限され、持ち運びにも不便であった。そのため、消毒及び殺菌効果のある強酸性水の使用を必要不可欠とする特定の企業や医療機関などで利用されるに留まり、一般家庭などへの普及の妨げとなっていた。
したがって、消毒及び殺菌効果などのある強酸性水を必要とする一般家庭や小規模の飲食店、医療機関などから、簡易な構成で小型且つ安価な電解水生成装置の提供が切に望まれていた。
【０００９】
本発明は、上述の課題に鑑みてなされたものであり、簡易な構成で小型且つ安価な電解水生成装置を提供することを目的とする。
【課題を解決するための手段】
【００１０】
本発明の電解水生成装置は、原水及び生成された電解水を貯留する第１水槽部及び塩水を貯留する第２水槽部を有する水槽本体と、隔膜又はイオン交換膜からなる膜部材と、前記膜部材を露出させた状態で支持する膜部材支持体と、前記膜部材支持体を挟んで配置される陽極板及び陰極板と、前記第２水槽部に配置され塩を収容する塩収容器と、前記水槽本体の内部に着脱自在に設けられ、前記膜部材支持体を保持すると共に前記水槽本体を前記第１水槽部と前記第２水槽部とに区画するパッキン部材と、を備えることを特徴とする。
【００１１】
また、本発明の電解水生成装置は、前記発明において、前記パッキン部材は、前記塩収容器を保持する塩収容器保持部を備えることを特徴とする。
【００１２】
また、本発明の電解水生成装置は、前記発明において、前記膜部材支持体は、前記陽極板及び前記陰極板を係止する係止部を備えることを特徴とする。
【００１３】
また、本発明の電解水生成装置は、前記発明において、前記塩収容器は、前記陽極板の一部及び前記陰極板の一部を係止する電極係止手段と、前記パッキン部材の一部を係止するパッキン部材係止手段と、を備えることを特徴とする。
【００１４】
また、本発明の電解水生成装置は、前記発明において、前記膜部材及び前記膜部材支持体は、インサート成型品であることを特徴とする。
【００１５】
また、本発明の電解水生成装置は、前記発明において、前記塩収容器又は前記第２水槽部に上下動自在に設けられ、塩水の規定濃度に対応した比重を有し、当該塩水の濃度が既定値以下となったときに下降して塩の補充を報知する塩補充報知部材を備えることを特徴とする。
【００１６】
また、本発明の電解水生成装置は、前記発明において、前記水槽本体の外表面に設けた凹部に配設され、前記陽極板及び前記陰極板と電気的に接続される配線を覆うと共に、把持し易くするために表面に滑り止め加工が施され及び／又は滑り止め機能を有する素材により形成された配線隠し部材を備えることを特徴とする。
【００１７】
また、本発明の電解水生成装置は、前記発明において、前記水槽本体の載置位置を案内する案内凸部を有し、載置された前記水槽本体の前記陽極板及び前記陰極板に所定の電力を供給する載置台を備えることを特徴とする。
【００１８】
また、本発明の電解水生成装置は、前記発明において、前記載置台は、前記電力の供給と遮断の指示を入力する入力手段と、前記入力手段と電気的に接続され少なくとも前記電力の供給時間を制御する制御手段と、当該制御手段と電気的に接続され、前記電解水を生成中であること及び／又は前記電解水の生成を完了したことを報知する報知手段と、を備えることを特徴とする。
【００１９】
また、本発明の電解水生成装置は、前記発明において、前記水槽本体は、透明又は半透明に形成され、前記膜部材支持体は、表裏で色彩が異なるように二色成形されていることを特徴とする。
【発明の効果】
【００２０】
本発明によれば、簡易な構成で小型且つ安価な電解水生成装置を提供することができる。
【図面の簡単な説明】
【００２１】
【図１】本発明の実施の形態に係る電解水生成装置１を示す断面図である。
【図２】隔膜アッシー１０を示す分解斜視図である。
【図３】電解水生成装置１の水槽本体５、隔膜アッシー１０及び蓋部材９を示す分解斜視図である。
【図４】隔膜アッシー１０における塩収容器５０の底部５２を示す斜視図である。
【図５】クレードル８０を示す斜視図である。
【図６】配線隠し部材７０を示す斜視図である。
【図７】電解水生成装置１を示す全体斜視図である。
【発明を実施するための形態】
【００２２】
以下、本発明の実施の形態に係る電解水生成装置１について図１〜図７を参照しながら詳細に説明する。図１は、本発明の実施の形態に係る電解水生成装置１を示す断面図である。図２は、隔膜アッシー１０を示す分解斜視図である。図３は、電解水生成装置１の水槽本体５、隔膜アッシー１０及び蓋部材９を示す分解斜視図である。図４は、隔膜アッシー１０における塩収容器５０の底部５２を示す斜視図である。図５は、クレードル８０を示す斜視図である。図６は、配線隠し部材７０を示す斜視図である。図７は、電解水生成装置１を示す全体斜視図である。
【００２３】
図１及び図２に示すように、電解水生成装置１は、原水及び生成された電解水を貯留する第１水槽部２及び塩水を貯留する第２水槽部３を有する水槽本体５と、蓋部材９と、膜部材としての隔膜１５と、隔膜１５を露出させた状態で支持する隔膜支持体（膜部材支持体）２０と、隔膜支持体２０を挟んで配置される陽極板３０及び陰極板４０と、第２水槽部３に配置され塩を収容する塩収容器５０と、水槽本体５の内部に着脱自在に設けられ、隔膜支持体２０を保持すると共に水槽本体５を第１水槽部２と第２水槽部３とに区画するパッキン部材６０と、を主として備える。
また、電解水生成装置１は、更に、塩補充報知部材５９（図２参照）と、配線隠し部材７０（図６参照）と、クレードル（載置台）８０（図５参照）と、を備える。
【００２４】
水槽本体５は、図１及び図３に示すように、上部に開口部７を有する縦長の有底容器であり、後述する隔膜アッシー１０によって２室に区画可能に構成されている。この２室のうち一方は、水道水などの真水（原水）及び生成された強酸性水（以下、「電解水」と記す）を貯留する第１水槽部２として構成され、他方は、塩水を貯留する第２水槽部３として構成される。第１水槽部２は、例えば、３００〜３５０ｃｃの真水及び生成された電解水を貯留できるように構成され、第２水槽部３は、例えば、１００〜１２０ｃｃの飽和塩水を貯留できるように構成されている。第１水槽部２及び第２水槽部３には、規定量の真水又は塩水を貯留するための目安線（図示せず）が設けられている。
【００２５】
水槽本体５は、例えば、合成樹脂にて透明又は半透明に形成されている。また、この合成樹脂は、強酸性及びアルカリ性に対して耐性を有する。
図３に示すように、水槽本体５の内壁には、後述するパッキン部材６０の外周縁部と係合し、パッキン部材６０を保持する第１凹部６が設けられている。第１凹部６の上端部には、段部６ａが設けられ、塩収容器５０の鍔部５４が当接するようになっている。
【００２６】
また、水槽本体５の外壁の側面及び底面には、この第１凹部６に対応する位置に、配線（図示せず）を沿わせ且つこの配線を目隠しする配線隠し部材７０（後述）と係合する第２凹部８が設けられている。第２凹部８の上端部には、係合凹部６ｂが設けられ、塩収容器５０の固定部５７が係合するようになっている。また、係合凹部６ｂには、固定部５７の固定穴５７ａに対応する固定穴（図示せず）が設けられている。
【００２７】
また、図１に示すように、水槽本体５の底面には、クレードル８０（後述）の上面に形成された電源用凸部８１及び位置決め用凸部８２（図５参照）と係合する電源用凹部５ａ及び位置決め用凹部５ｂが設けられている。電源用凹部５ａには、一対の端子片（図示せず）が設けられており、この端子片は、水槽本５の外側面の第２凹部８に配置された配線（図示せず）と電気的に接続されている。
【００２８】
また、図３に示すように、水槽本体５は、その平面視において、半円の直径に三角形の一辺を重ね合わて形成される外形形状となっている。すなわち、注ぎ口５ｃが上記三角形の頂点側に配置され、第１水槽部２内の電解水が注ぎ口５ｃに集まり易くなる形状となっている。
また、図１に示すように、水槽本体５は、その側面視において、上部の注ぎ口５ｃに向かって幅寸法が大きくなるように形成されている。このように構成することにより、ユーザーが注ぎ口５ｃから電解水を注ぐ際に、水槽本体５を傾ける角度が小さくても容易に注ぐことができると共に、第１水槽部２の内容積を大きく確保することができる。
なお、電解水生成装置１の最大外形寸法は、側面視で幅１２０ｍｍ程度、正面視で幅８０ｍｍ程度、クレードル８０を含む高さが１８０ｍｍ程度であり、非常に小型である。また、合成樹脂製の成形品により構成されているため、非常に軽量である。
【００２９】
また、図１及び図３に示すように、蓋部材９は、水槽本体５の開口部７を閉塞する部材であり、本体部９ａと、この本体部９ａに対して開閉自在な開閉部９ｂとを備える。本体部９ａは、塩収容器５０の開口部５１に嵌め込まれて固定される。開閉部９ｂは、ヒンジ部材（図示せず）などを介して本体部９ａに開閉自在に設けられている。なお、この蓋部材９は、合成樹脂製の成形品であることが好ましい。
【００３０】
また、図１〜図４に示すように、隔膜アッシー１０は、隔膜（膜部材）１５と、隔膜支持体２０と、陽極板３０及び陰極板４０と、パッキン部材６０と、塩収容器５０と、を備えて一体的に構成され、水槽本体５（第１凹部６）に対して着脱自在に構成（図３参照）されている。すなわち、隔膜アッシー１０は、これら複数の部材の集合体であり、１つのアッシー（ＡＳＳＹ）又はユニットとして機能するものである。
【００３１】
隔膜１５には、汎用品を用いることができ、例えば、ポリフッ化ビニリデン樹脂酸化チタン、ショ糖脂肪酸エステル、ポリエチレンテレフタレート樹脂などから形成した、厚さ０．２２ｍｍ程度の隔膜を用いることができる。なお、膜部材として、隔膜１５の代わりにイオン交換膜を用いることもできる。
【００３２】
隔膜支持体２０は、図１及び図２に示すように、隔膜１５の表裏を露出させた状態で支持する部材であり、薄板状の矩形の枠体である。隔膜支持体２０は、膜部材支持体として機能する。隔膜支持体２０は、隔膜１５の表裏面を支持する支持部２１と、陽極板３０及び陰極板４０の下係止片３４，３４，４４，４４（後述）を挿入して係止する係止部２２と、を表裏に備える。
すなわち、隔膜支持体２０は、隔膜１５を支持すると共に、陽極板３０及び陰極板４０の配置間隔を一定（例えば、およそ３ｍｍ程度）に保ちながら着脱自在に支持（係止）することができる。
【００３３】
隔膜１５及び隔膜支持体２０は、図１及び図２に示すように、インサート成型品であり、表裏で色彩が異なるように二色成形されている。例えば、隔膜支持体２０の酸性側が赤系の色、アルカリ性側が青系の色とすることができる。このように成形することにより、表裏を構成する薄板材の接着作業などの後工程が不要となる。また、ユーザーは、区画された各水槽部２，３の機能を上記色によって直感的に認識できる。
【００３４】
また、図２に示すように、陽極板３０及び陰極板４０は、例えば、厚さ１ｍｍ程度の白金メッキチタン板材により同一の形状・大きさに構成され、矩形状の平板部３１，４１と、平板部３１，４１の上部両端から上方に延びる上係止片３２，４２及び給電用係止片３３，４３と、平板部３１，４１の下部両端から下方に延びる一対の下係止片３４，３４，４４，４４とからなる。
平板部３１，４１は、露出した隔膜１５を覆える大きさとなっている。上係止片３２，４２及び給電用係止片３３，４３は、適宜、折曲して形成されている。
給電用係止片３３，４３の先端部付近には、貫通穴３３ａ，４３ａを有する。この貫通穴３３ａ，４３ａは、塩収容器５０の固定穴５７ａ，５７ａに対応するネジ（図示せず）止め用のものである。給電用係止片３３，４３は、ネジ止めによって塩収容器５０の固定部５７，５７（図３参照）に固定される。
このように固定された陽極板３０及び陰極板４０の間隔は、およそ３ｍｍ程度となっている。
【００３５】
また、図１〜図４に示すように、パッキン部材６０は、隔膜支持体２０を保持すると共に水槽本体５を第１水槽部２と第２水槽部３とに区画するシール部材であり、且つ、水槽本体５（第１凹部６）に対して着脱自在に構成されている。パッキン部材６０は、合成ゴムなど所定の弾性力を有しシール性をする周知の素材で形成され、且つ、強酸性及びアルカリ性に対して耐性を有する素材で形成されている。
また、図２〜図４に示すように、パッキン部材６０は、矩形枠状の本体部６１と、本体部６１の上端から水平に延び塩収容器５０を保持する湾曲枠状の保持部（塩収容器保持部）６２と、塩収容器５０の係止溝５５に挿通されて係止される矩形状の係止片６３と、を備える。
本体部６１の内周面には、凹部６１ａ（図２参照）が設けられており、この凹部６１ａに隔膜支持体２０の外周縁部が嵌め込まれるようになっている。これにより、隔膜支持体２０とパッキン部材６０とが一体となる。
【００３６】
また、図２〜図４に示すように、塩収容器保持部としての保持部６２は、塩収容器５０の鍔部５４の外周に沿うように湾曲形成され、この保持部６２の中に塩収容器５０の本体部５３が挿通されて保持される。これにより、塩収容器５０とパッキン部材６０とが一体となる。
図１及び図３に示すように、隔膜支持体２０及び塩収容器５０と一体となったパッキン部材６０は、水槽本体５の第１凹部６に嵌め込まれる。これにより、パッキン部材６０は、水槽本体５を第１水槽部２と第２水槽部３とに区画することができ、シール性を担保することができる。
なお、パッキン部材６０と第１凹部６との当接部分には、必要に応じて非硬化性のコーキング剤などを塗布してシール性を向上させてもよい。
【００３７】
図１〜図４に示すように、塩収容器５０は、塩（例えば、塩化ナトリウム）を収容するために上部が開口された有底の容器である。塩収容器５０は、陽極板３０の給電用係止片３３及び陰極板４０の給電用係止片４３を係止する電極係止手段としての係止溝５５、係止穴５６及び係止凹部５８と、パッキン部材６０の係止片６３を係止するパッキン部材係止手段としての係止溝５５と、を備える。
【００３８】
すなわち、図２に示すように、塩収容器５０は、上部に開口部５１を有し底部５２を有する本体部５３と、本体部５３の外径よりも大きく形成され本体部５３の上部に設けられた鍔部５４と、を主として備える。塩収容器５０は、第２水槽部３の所定の深さ（例えば、ほぼ半分の深さ）まで届くように、第２水槽部３の上部に配置される。
鍔部５４は、パッキン部材６０の係止片６３及び陰極板４０の給電用係止片４３を挿入して係止する係止溝５５と、陰極板４０の上係止片４２を挿入して係止する係止穴５６と、陽極板３０及び陰極板４０の給電用係止片３３，４３をネジ止め固定する固定穴５７ａを有した一対の固定部５７，５７と、陽極板３０の上係止片３２を係止する係止凹部５８と、を備える。
【００３９】
また、図１及び図４に示すように、塩収容器５０の底部５２には、外部と連通する複数のスリット部５２ａと、塩補充報知部材５９を挿通し、上下に移動自在に案内するガイド穴部５２ｂと、が設けられている。
また、図３に示すように、一対の固定部５７，５７は、水槽本体５の上部に設けられた係合凹部６ｂに係合し、上記ネジによって水槽本体５に固定される。また、この一対の固定部５７，５７においては、水槽本体５の第２凹部８の内部に案内される配線の導体部（図示せず）と、上記鍔部に固定された給電用係止片３３，４３とが、ネジ止め等によって電気的に接続される。
【００４０】
また、図１、図２及び図４に示すように、塩補充報知部材５９は、矩形平板部５９ａと、その上端からそれぞれ幅方向に突出する一対の突起部５９ｂ，５９ｂとを備える。矩形平板部５９ａは、塩収容器５０の底部５２に開口されたガイド穴部５２ｂに挿通可能な寸法に形成されている。一対の突起部５９ｂ，５９ｂは、上記ガイド穴部５２ｂの幅よりも大きく突出しており、ガイド穴部５２ｂに引っかかることにより、塩補充報知部材５９がガイド穴部５２ｂから下方に脱落しないように構成されている。
【００４１】
塩補充報知部材５９は、塩水濃度が既定値（例えば、重量パーセント濃度２０％）よりも低下すると浮力の低下で下降（沈降）するように、所定の材質（例えば、比重が１２ｇの材質）で形成されている。また、図２及び図４に示すように、塩補充報知部材５９の矩形平板部５９ａの表面には、下部に三角印５９ｃが表示され、上部に×印５９ｄが表示されている。
すなわち、塩水濃度が既定値を下回ると、塩補充報知部材５９の沈降により三角印５９ｃが塩収容器５０の下方から露出する。これによりユーザーは、塩の補充を促される。また、塩水濃度が更に低下して電解水を生成できない濃度になると、塩補充報知部材５９の更なる沈降により×印５９ｄが塩収容器５０の下方から露出する。これによりユーザーは、塩が完全に不足し、電解水を生成できない状態となっていることを認識することができ、塩の補充を促される。
【００４２】
また、図６及び図７に示すように、配線隠し部材７０は、水槽本体５の外表面に設けた第２凹部８（図３参照）に配設され陽極板３０及び陰極板４０と電気的に接続される配線（図示せず）を覆うと共に、水槽本体５を把持し易くするために表面に滑り止め加工が施されたほぼＬ字状の棒状部材である。なお、配線隠し部材７０は、滑り止め機能を有する素材により形成されたものであってもよく、また、この素材で形成されものに、更に上記滑り止め加工が施されてもよい。
【００４３】
また、図１及び図５に示すように、クレードル８０は、水槽本体５を載置する載置台である。クレードル８０の上面には、案内凸部としての電源用凸部８１及び位置決め用凸部８２を備える。電源用凸部８１は、水槽本体５の電源用凹部５ａと係合し、電源用凹部５ａの電極（図示せず）に直流電力を供給するための端子部（図示せず）を有する。位置決め用凸部８２は、水槽本体５の位置決め用凹部５ｂと係合し、水槽本体５の載置位置を規制する。これにより、ユーザーは、クレードル８０に水槽本体５を容易且つ迅速に載置することができる。
【００４４】
また、クレードル８０は、電力の供給と遮断の指示を入力する入力手段としてのスイッチ部（図示せず）と、このスイッチ部と電気的に接続される制御手段としての制御装置（図示せず）と、この制御装置と電気的に接続され電解水の生成の完了などを報知する報知手段としてのＬＥＤ表示部８３と、外部電源からの直流電力を入力する入力端子部８６と、を備える。
上記スイッチ部は、例えば、ユーザーが手指で操作するシーソー式、押圧式、スライド式などの汎用スイッチを用いることができ、クレードル８０の側面部など適宜の場所に配置することができる。
上記制御装置は、電解水生成のための通電時間（例えば、３〜５分間）やＬＥＤ表示部８３の点灯及び消灯など、電解水生成装置１に必要な各種動作を制御する。
【００４５】
ＬＥＤ表示部８３は、例えば、上記スイッチ部からの入力により点灯して電解水を生成中（通電中）であることを表示し、上記通電時間の経過後に消灯することにより、電解水の生成を完了したことを報知するようにしてもよい。
また、ＬＥＤ表示部８３を多色のＬＥＤで構成し、各色によって電解水生成装置１の動作状態（電解水を生成中又は生成完了）を表示したり、１色であってもバーグラフのように点灯部分の長さの違いによって動作状態を表示してもよい。
また、報知手段として、ＬＥＤ表示のほか、発音体からの発音（音声を含む）、液晶画面による文字・図形・画像などの表示、又はこれらの任意の組み合わせにより報知してもよい。
【００４６】
外部電源としては、直流電力（例えば、３〜５Ｖ）を出力する市販品のＡＣ−ＤＣアダプタ（図示せず）を用いることができる。このＡＣ−ＤＣアダプタから延びるケーブル８９のＤＣプラグ９０（図１参照）が、クレードル８０の側部に設けられた入力端子部８６と着脱自在に電気的に接続される。
【００４７】
次に、電解水生成装置１の使用方法を図１を参照しながら説明する。先ず、ユーザーは、水槽本体５から蓋部材９を外して、予め塩収容器５０に所定量の塩を収容し、水槽本体５の第１水槽部２に所定量（例えば、３００〜３５０ｃｃ）の真水（水道水）を貯留する。また、第２水槽部３にも真水（例えば、１００〜１２０ｃｃ）を入れて塩収容器５０の塩を溶かし、飽和塩水を貯留する。なお、予め調製した飽和塩水を第２水槽部３に貯留してもよい。
【００４８】
次に、クレードル８０のスイッチ部（図示せず）から制御装置（図示せず）に電解水生成の開始を指示することで、陽極板３０及び陰極板４０に電力供給が開始される。すると、電解が開始され、ＬＥＤ表示部８３が点灯する。これにより、ユーザーは、電解水を生成中であることを認識する。
【００４９】
電力は、電解水生成に十分な所定時間（例えば、３〜５分間）供給される。所定時間が経過すると、第１水槽部２に所定量（例えば、３００〜３５０ｃｃ）の電解水が生成され、ＬＥＤ表示部８３が消灯する。これにより、ユーザーは、電解水の生成が完了したことを認識する。この電解水は、ｐＨ２．３〜ｐＨ２．７程度の強酸性水である。
そして、ユーザーは、配線隠し部材７０（図７参照）に触れながら水槽本体５を把持し、注ぎ口５ｃから電解水を注ぐなどして使用する。その際、配線隠し部材７０が滑り止め機能を有しているので、水槽本体５を把持し易い。
【００５０】
ユーザーは、上記手順により、電解水を生成することができるが、生成する毎に第２水槽部３の塩水濃度は低下する。塩水濃度が既定値（例えば、重量パーセント濃度２０％）よりも低下すると、塩収容器５０に配設された塩補充報知部材５９が浮力の低下で下降（沈降）し、三角印５９ｃ（図４参照）が塩収容器５０の下方から露出する。これによりユーザーは、塩の補充を促される。
【００５１】
また、塩水濃度が更に低下して電解水を生成できない濃度になると、塩補充報知部材５９が更に下降して、×印５９ｄ（図４参照）が塩収容器５０の下方から露出する。これによりユーザーは、塩が完全に不足し、電解水を生成できない状態となっていることを認識することができ、塩の補充を促される。
以上のようにして、ユーザーは、必要量の強酸性水を容易且つ迅速に生成することができる。
【００５２】
以上に説明した本実施の形態に係る電解水生成装置１によれば、以下に示す各効果が奏される。本実施の形態に係る電解水生成装置１は、真水及び生成された強酸性水を貯留する第１水槽部２及び塩水を貯留する第２水槽部３を有する水槽本体５と、蓋部材９と、膜部材としての隔膜１５と、隔膜１５を露出させた状態で支持する隔膜支持体２０と、隔膜支持体２０を挟んで配置される陽極板３０及び陰極板４０と、第２水槽部３の内部に配置され塩を収容する塩収容器５０と、水槽本体５の内部に着脱自在に設けられ、隔膜支持体２０を保持すると共に水槽本体５を第１水槽部２と第２水槽部３とに区画するパッキン部材６０と、を主として備える。
そのため、隔膜支持体２０を保持したパッキン部材６０を水槽本体５の内部に装着することで、水槽本体５を第１水槽部２と第２水槽部３とに容易にシール区画することができ、水槽本体５を区画するための専用の部材が不要になると共に、水槽本体５の区画構造を簡易にすることができる。これにより、装置全体の小型軽量化に資することができると共に、製造コストの低減を図ることができる。
【００５３】
また、パッキン部材６０は、水槽本体５の内部に着脱自在に設けられている。そのため、隔膜１５の交換などのメンテナンスを必要とする場合には、隔膜支持体２０を保持したパッキン部材６０を水槽本体５から容易に取り外すことができる。そして、隔膜１５を隔膜支持体２０から外して単体で交換できる場合には単体で交換し、あるいは、隔膜支持体２０ごと交換することができる。したがって、メンテナンス性がきわめて良い。
【００５４】
このように、本実施の形態に係る電解水生成装置１は、従来技術において備えていた、水道水に電解質を添加するための搬送ポンプや混合装置、電解質の添加量を制御する添加手段、電解質水溶液を電解槽に供給する電解質供給手段などを備えていない。また、電解質の添加や給水・排水などの自動化のための手段も備えていない。そのため、電解水生成装置１は、きわめて簡易に構成でき、小型・軽量に構成できると共に、給水・排水設備の制限もなく設置場所を選ばない。すなわち、持ち運びが容易であり、少量の電解水を必要時に必要な場所で簡便に生成したい一般家庭などのユーザーにとって、非常に扱い易い。
したがって、簡易な構成で小型且つ安価であり、扱い易い電解水生成装置１を提供することができる。
【００５５】
また、隔膜アッシー１０は、隔膜（膜部材）１５と、隔膜支持体２０と、陽極板３０及び陰極板４０と、パッキン部材６０と、塩収容器５０と、を備えて一体的に構成され、水槽本体５（第１凹部６）に対して着脱自在に構成（図３参照）されている。そのため、電解水生成装置１の要部である隔膜アッシー１０を水槽本体５に対して容易に着脱でき、製造コストの低減やメンテナンス性の向上に寄与することができる。
【００５６】
また、隔膜支持体２０は、隔膜１５の表裏面を支持する支持部２１と、陽極板３０及び陰極板４０の下係止片３４，３４，４４，４４を挿入して係止する係止部２２と、を表裏に備える。そのため、隔膜支持体２０は、撓みを抑制して隔膜１５を支持できると共に、ネジなどの固定手段や接着手段などを使用することなく、陽極板３０及び陰極板４０を容易に係止することができる。また、隔膜支持体２０は、陽極板３０及び陰極板４０の配置間隔を容易に一定（例えば、およそ３ｍｍ程度）に保つことができる。
【００５７】
また、隔膜アッシー１０は、上述したように、各部材を係合・係止させたり嵌め込むことによって構成され、ネジ止めも固定部５７，５７における２カ所のみである（図２及び図３参照）。そのため、隔膜アッシー１０自身の組み立てと分解も容易であり、更なる製造コストの低減やメンテナンス性の向上に寄与することができる。
【００５８】
また、パッキン部材６０は、塩収容器５０を保持する塩保持部６２を備える。そのため、塩収容器５０を容易に保持することができると共に、パッキン部材６０自身を介して、隔膜支持体２０、陽極板３０、陰極板４０及び塩収容器５０を一体化することができ、隔膜アッシー１０を構成し易くすることができる。
【００５９】
また、塩収容器５０は、陽極板３０の給電用係止片３３及び陰極板４０の給電用係止片４３を係止する電極係止手段としての係止溝５５、係止穴５６及び係止凹部５８と、パッキン部材６０の係止片６３を係止するパッキン部材係止手段としての係止溝５５と、を備える。そのため、塩収容器５０は、陽極板３０及び陰極板４０を、係止溝５５、係止穴５６及び係止凹部５８に容易に係合・係止することができ、容易に組み立てと分解を行うことができる。これにより、製造コストの低減やメンテナンス性の向上に寄与することができる。
【００６０】
また、隔膜１５及び隔膜支持体２０は、インサート成型品であり、表裏で色彩が異なるように二色成形されている（図１及び図２参照）。そのため、表裏を構成する薄板材の接着作業などの後工程が不要となり、コストダウンを図ることができる。また、ユーザーは、上記色彩の相違によって、区画された各水槽部２，３の機能（例えば、酸性及びアルカリ性）を直感的に認識することができる。また、意匠性及びファッション性に富んだ製品にすることができる。
【００６１】
また、電解水生成装置１は、塩収容器５０に上下動自在に設けられ、塩水の規定濃度に対応した比重を有し、塩水の濃度が既定値以下となったときに下降して塩の補充を報知する塩補充報知部材５９を備える。そのため、電解水の生成により塩水濃度が既定値を下回ると、塩補充報知部材５９が下降して報知するので、ユーザーは塩の補充を促される。
また、塩補充報知部材５９は、比重差による浮力を利用した単純な構成となっているため、濃度の低下を電気的に検出する高価な濃度センサーを不要にでき、コストダウンを図ることができると共に、濃度検知部の故障を容易に回避することができる。
【００６２】
また、陽極板３０及び陰極板４０と電気的に接続する配線（図示せず）は、水槽本体５の外表面に設けた第２凹部８（図３参照）に配設してある。そのため、電気的短絡防止のための防水構造を水槽本体５の内部に設ける必要がなく、装置全体の構造を簡素化することができる。
【００６３】
また、電解水生成装置１は、上記配線を覆うと共に表面に滑り止め加工が施された配線隠し部材７０（図７参照）を備える。そのため、ユーザーは、電解水生成装置１を把持し易く、上記小型・軽量であることとも相まって、容易に持ち運ぶことができる。
【００６４】
また、クレードル８０は、その上面に案内凸部としての電源用凸部８１及び位置決め用凸部８２を有し、載置された水槽本体５の陽極板３０及び陰極板４０に所定の電力を供給する。そのため、水槽本体５をクレードル８０に載置する際には、水槽本体５側の上記電源用凹部５ａ及び位置決め用凹部５ｂと、クレードル８０側の電源用凸部８１及び位置決め用凸部８２とを係合させることで、水槽本体５を容易且つ迅速に載置することができ、確実に電力を供給することができる。
【００６５】
また、クレードル８０は、電力の供給と遮断の指示を入力するスイッチ部（図示せず）と、このスイッチ部と電気的に接続される制御装置（図示せず）と、この制御装置と電気的に接続され電解水の生成の完了などを報知するＬＥＤ表示部８３と、外部電源からの直流電力を入力する入力端子部８６と、を備える。
そのため、ユーザーは、スイッチ部の操作により、容易に電解水の生成を開始し又は開始のキャンセルができる。また、制御装置により、電解水生成のための通電時間やＬＥＤ表示部８３の点灯及び消灯など、電解水生成装置１に必要な各種動作を制御することができる。
【００６６】
また、ＬＥＤ表示部８３の表示（点灯・消灯）により、ユーザーは、電解水生成装置１の動作状態（電解水を生成中又は生成完了）を容易に確認することができる。
【００６７】
また、外部電源として、市販品のＡＣ−ＤＣアダプタ（図示せず）を用い、その電力を入力端子部８６から入力することにより、電源部の構成の簡素化とコストダウンを図ることができる。
【００６８】
以上のように、電解水生成装置１の動作に必要な上記スイッチや制御装置などをクレードル８０に集約して設けることで、水槽本体５の構成を簡素化でき、装置全体の小型・軽量化に資することができると共に、製造コストを低減でき、安価な製品を提供することができる。
【００６９】
以上、本発明の一実施形態について説明したが、本発明は、前述した実施の形態に制限されるものではなく、適宜変更が可能である。例えば、前記実施の形態に係る電解水生成装置においては、膜部材として隔膜１５を用いるものとして説明したが、所定のイオン交換膜を用いてもよく、これによっても前記実施の形態の場合と同様の効果を奏することができる。
【００７０】
また、前記実施の形態に係る電解水生成装置１においては、塩補充報知部材５９を塩収容器５０に設けるものとして説明したが、これに限定されず、第２水槽部３に設けてもよい。これによっても前記実施の形態の場合と同様の効果を奏することができる。
【符号の説明】
【００７１】
１  電解水生成装置
２  第１水槽部
３  第２水槽部
５  水槽本体
８  第２凹部（凹部）
１０  隔膜アッシー
１５  隔膜（膜部材）
２０  隔膜支持体（膜部材支持体）
２２  係止部
３０  陽極板
３３  給電用係止片（陽極板の一部）
４０  陰極板
４３  給電用係止片（陽極板の一部）
５０  塩収容器
５５  係止溝（電極係止手段、パッキン部材係止手段）
５６  係止穴（電極係止手段）
５８  係止凹部（電極係止手段）
５９  塩補充報知部材
６０  パッキン部材
６２  保持部（塩収容器保持部）
７０  配線隠し部材
８０  クレードル（載置台）
８１  電源用凸部（案内凸部）
８２  位置決め用凸部（案内凸部）
８３  ＬＥＤ表示部（報知手段）
【図１】
2016221437.tif 000003
【図２】
2016221437.tif 000004
【図３】
2016221437.tif 000005
【図４】
2016221437.tif 000006
【図５】
2016221437.tif 000007
【図６】
2016221437.tif 000008
【図７】
2016221437.tif 000009